(57)【要約】      （修正有）【課題】容易に組立て及び解体することができ、切花が収容しやすい切花梱包用箱の提供。【解決手段】前側板１３、背側板１４、左側板１５及び右側板１６と、天板１８と、天左側板間連結板１９と、天右側板間連結板２０と、折り畳み底板２４，２５と、重ね合わせ板２８，２９と、保水容器１２が収容される容器収容部３０とを備え、天板１８は、外側板４２と、前縁板４３と内側板４４とからなり、内側板４４を前縁板４３より折り曲げて外側板４２の内側に重ね合わせ、前側板１３は、閉鎖板部３７と、扉板部３６とからなり、箱の組立てに際し、折り畳み底板２４，２５と隣り合う一方の重ね合わせ板２８，２９とを連結した一対の底板部が互いに噛み合い底板となし、天板１８を立ち上げ、外側板４２と内側板４４との間に両連結板１９，２０を挟みこみ、底部に容器収容部３０を配置した箱状に形成する。【選択図】  図２
2007045456.tif 000002
【特許請求の範囲】
【請求項１】
周壁をなす前側板、背側板、左側板及び右側板と、前記背側板の上縁に折り目を介して一体に形成された天板と、前記天板と左側板の側縁間を連結する天左側板間連結板と、前記天板と右側板の側縁間を連結する天右側板間連結板と、前記前背両側板の下縁部に折り目を介して一体に形成され、側板側隅部より斜めに向けた折り畳み用折れ線を有する一対の折り畳み底板と、前記左右両側板の下縁部に折り目を介して一体に形成された一対の重ね合わせ板と、箱底部に配置され、保水容器が収容される容器収容部とを備え、
前記左側板及び右側板は、前記背側板の側縁に折り目を介して一体に形成され、
前記天板は、前記背側板の上縁に折り目を介して連続した外側板と、該外側板の背側板とは反対側の縁部に折り目又は一定幅を有する前縁板を介して連続した内側板とをもって構成され、該内側板を前記折り目又は前縁板より折り曲げて前記外側板の内側に重ね合わせ、
前記前側板は、前記容器収容部の前面部を閉鎖する閉鎖板部と、前記左側板又は右側板の前縁に折り目を介して連設された扉板部とをもって構成され、
箱の組立てに際し、隣り合う側板を相互に立たせることに連動して、前記折り畳み底板と隣り合う一方の重ね合わせ板とを連結してなる一対の底板部が互いに噛み合わされて底板をなすとともに、前記背側板に対し天板を立ち上げ、前記外側板と内側板との間に前記両連結板を挟みこむことにより、底部に保水容器収容部を配置した箱状に形成され、
解体に際し、前記天板を倒すとともに、隣り合う側板を重ねて畳むことにより、前記底板部が前記折り畳み用折れ線より折れて前記側板間に折り込まれることを特徴としてなる切花梱包用箱。
【請求項２】
前記容器収容部の上端部に、互いに隣り合う側板間に亘って互いに平行な一対の切れ目を入れることにより、反転して内側に突出する支持突起を備えた請求項１に記載の切花梱包用箱。
【請求項３】
切花挿入孔を有する平板状の支持板と、該支持板の前縁部に折り目を介して一体に形成された支持脚板と、前記支持板の裏面に前記切花挿入孔と連通配置に固定された切花用保水袋とからなる保水容器を使用し、前記支持脚板を前記閉鎖板部の内側へ挿し込み、前記支持板の前縁部を前記支持脚板に支持させ、前記支持板の背側縁部を前記支持突起に支持させるようにした請求項２に記載の切花梱包用箱。
【発明の詳細な説明】
【技術分野】
【０００１】
本発明は、切花の梱包に用いられる切花梱包用箱に関する。
【背景技術】
【０００２】
従来、切花は、一定本数を紐等で束ね、茎部の先端に含水させた保水シートを巻き付け、その保水シートの上から不透水性の容器を被せるようにし、その状態で段ボール箱に収容して出荷するようになっており、このようにすることによって、流通過程において店頭に並ぶまでに要する期間等、一定期間の生花の鮮度を保つようにしている。
【０００３】
この花の梱包に使用される箱には、前面部に開閉可能な扉板を備え、底部に保水容器が収容されるものが使用されている。
【特許文献１】特開２００５−１５０１１号公報
【発明の開示】
【発明が解決しようとする課題】
【０００４】
しかし、上述の如き従来の技術では、箱の組立てが煩わしく、効率が悪い上、切花束を箱に収容する際に天板が邪魔になり収容し難いという問題があった。
【０００５】
そこで本発明は、上述の従来技術の問題を鑑み、容易に組立て及び解体することができ、切花が収容しやすい切花梱包用箱の提供を目的とする。
【課題を解決するための手段】
【０００６】
上述の如き従来の問題を解決し、所期の目的を達成するための請求項１に記載の発明は、周壁をなす前側板、背側板、左側板及び右側板と、前記背側板の上縁に折り目を介して一体に形成された天板と、前記天板と左側板の側縁間を連結する天左側板間連結板と、前記天板と右側板の側縁間を連結する天右側板間連結板と、前記前背両側板の下縁部に折り目を介して一体に形成され、側板側隅部より斜めに向けた折り畳み用折れ線を有する一対の折り畳み底板と、前記左右両側板の下縁部に折り目を介して一体に形成された一対の重ね合わせ板と、箱底部に配置され、保水容器が収容される容器収容部とを備え、前記左側板及び右側板は、前記背側板の側縁に折り目を介して一体に形成され、前記天板は、前記背側板の上縁に折り目を介して連続した外側板と、該外側板の背側板とは反対側の縁部に折り目又は一定幅を有する前縁板を介して連続した内側板とをもって構成され、該内側板を前記折り目又は前縁板より折り曲げて前記外側板の内側に重ね合わせ、前記前側板は、前記容器収容部の前面部を閉鎖する閉鎖板部と、前記左側板又は右側板の前縁に折り目を介して連設された扉板部とをもって構成され、箱の組立てに際し、隣り合う側板を相互に立たせることに連動して、前記折り畳み底板と隣り合う一方の重ね合わせ板とを連結してなる一対の底板部が互いに噛み合わされて底板をなすとともに、前記背側板に対し天板を立ち上げ、前記外側板と内側板との間に前記両連結板を挟みこむことにより、底部に保水容器収容部を配置した箱状に形成され、解体に際し、前記天板を倒すとともに、隣り合う側板を重ねて畳むことにより、前記底板部が前記折り畳み用折れ線より折れて前記側板間に折り込まれる切花梱包用箱であることを特徴とする。
【０００７】
請求項２に記載の発明は、請求項１の構成に加え、前記容器収容部の上端部に、互いに隣り合う側板間に亘って互いに平行な一対の切れ目を入れることにより、反転して内側に突出する支持突起を備えたことを特徴とする。
【０００８】
請求項３に記載の発明は、請求項２の構成に加え、切花挿入孔を有する平板状の支持板と、該支持板の前縁部に折り目を介して一体に形成された支持脚板と、前記支持板の裏面に前記切花挿入孔と連通配置に固定された切花用保水袋とからなる保水容器を使用し、前記支持脚板を前記閉鎖板部の内側へ挿し込み、前記支持板の前縁部を前記支持脚板に支持させ、前記支持板の背側縁部を前記支持突起に支持させるようにしたことを特徴とする。
【発明の効果】
【０００９】
本発明に係る切花梱包用箱は、周壁をなす前側板、背側板、左側板及び右側板と、前記背側板の上縁に折り目を介して一体に形成された天板と、前記天板と左側板の側縁間を連結する天左側板間連結板と、前記天板と右側板の側縁間を連結する天右側板間連結板と、前記前背両側板の下縁部に折り目を介して一体に形成され、側板側隅部より斜めに向けた折り畳み用折れ線を有する一対の折り畳み底板と、前記左右両側板の下縁部に折り目を介して一体に形成された一対の重ね合わせ板と、箱底部に配置され、保水容器が収容される容器収容部とを備え、前記左側板及び右側板は、前記背側板の側縁に折り目を介して一体に形成され、前記天板は、前記背側板の上縁に折り目を介して連続した外側板と、該外側板の背側板とは反対側の縁部に折り目又は一定幅を有する前縁板を介して連続した内側板とをもって構成され、該内側板を前記折り目又は前縁板より折り曲げて前記外側板の内側に重ね合わせ、前記前側板は、前記容器収容部の前面部を閉鎖する閉鎖板部と、前記左側板又は右側板の前縁に折り目を介して連設された扉板部とをもって構成され、箱の組立てに際し、隣り合う側板を相互に立たせることに連動して、前記折り畳み底板と隣り合う一方の重ね合わせ板とを連結してなる一対の底板部が互いに噛み合わされて底板をなすとともに、前記背側板に対し天板を立ち上げ、前記外側板と内側板との間に前記両連結板を挟みこむことにより、底部に保水容器収容部を配置した箱状に形成され、解体に際し、前記天板を倒すとともに、隣り合う側板を重ねて畳むことにより、前記底板部が前記折り畳み用折れ線より折れて前記側板間に折り込まれることによって、容易に組立て及び解体を行えて作業効率が良く、更に、天板が容易に開閉できるので前扉板部を開き、切花束を挿入する際に容易に収容することができる。
【００１０】
前記容器収容部の上端部に、互いに隣り合う側板間に亘って互いに平行な一対の切れ目を入れることにより、反転して内側に突出する支持突起を備えたことにより、切花挿通孔を有する平板状の支持板と、切花挿通孔と連通配置に支持板の裏面に固定された保水袋とからなる切花梱包用保水容器を好適に収容部内に支持することができる。
【００１１】
切花挿入孔を有する平板状の支持板と、該支持板の前縁部に折り目を介して一体に形成された支持脚板と、前記支持板の裏面に前記切花挿入孔と連通配置に固定された切花用保水袋とからなる保水容器を使用し、前記支持脚板を前記閉鎖板部の内側へ挿し込み、前記支持板の前縁部を前記支持脚板に支持させ、前記支持板の背側縁部を前記支持突起に支持させるようにしたことによって、保水容器を安定した状態に保持することができる。
【発明を実施するための最良の形態】
【００１２】
次に、本発明に係る切花梱包用箱について説明する。
【００１３】
図１は、切花梱包用箱の一例を示し、図中符号１０は切花梱包用箱、符号１１は切花、符号１２は切花梱包用保水容器（以下、保水容器という）である。
【００１４】
切花梱包用箱１０は、周壁をなす前側板１３、背側板１４、左側板１５及び右側板１６と、背側板１４の上縁に折り目１７を介して一体に形成された天板１８と、天板１８と左側板１５の側縁間を連結する天左側板間連結板１９と、天板１８と右側板１６の側縁間を連結する天右側板間連結板２０と、前背両側板１３，１４の下縁部に折り目２１，２２を介して一体に形成され、側板側隅部より斜めに向けた折り畳み用折れ線２３を有する一対の折り畳み底板２４，２５と、左右両側板１５，１６の下縁部に折り目２６，２７を介して一体に形成された一対の重ね合わせ板２８，２９とを備え、段ボール紙等の紙板材を図２に示す展開図の如く打ち抜き、それを折曲加工することにより形成されている。
【００１５】
また、この切花梱包用箱１０には、箱底部に保水容器１２が収容される容器収容部３０が備えられている。
【００１６】
左側板１５は、背側板１４の側縁部に折り目３１を介して連設され、折り目３１とは反対側の縁部に折り目３２を介して張出し片３３が一体に形成されている。
【００１７】
また、張出し片３３の下端部には、後述する閉鎖板部３７との貼着を強化するために広い接着面積を有するのり付け部３３ａが一体に形成されている。
【００１８】
一方、右側板１６は、背側板１４の側縁部に折り目３４を介して連設され、折り目３４とは反対側の縁部に折り目３５を介して前側板１３が一体に形成されている。
【００１９】
前側板１３は、右側板１６の前縁部に折り目３５を介して連設された扉板部３６と、容器収容部３０の前面部を閉鎖する閉鎖板部３７とをもって構成され、切れ目を介して扉板部３６と閉鎖板部３７とが上下に分割されている。
【００２０】
閉鎖板部３７は、一方の側縁部が折り目３５を介して右側板１６に連設され、他方の側部が張出し片３３、即ちのり付け部３３ａに貼着され、容器収容部３０の前面部を閉鎖するようになっている。
【００２１】
扉板部３６は、一方の側縁部が折り目３５を介して右側板１６に連設され、折り目３５を軸として回動し、箱の前面部を開閉できるようになっている。
【００２２】
また、扉板部３６の折り目３５とは反対側の縁部には、張出し片３３に形成された係止孔３８に係止される係止片３９が折り目４０を介して一体に形成されている。
【００２３】
この係止片３９には、折り目４０より扉板部３６側にコ字状の切れ目を入れることにより取っ手４１が一体に形成されている。
【００２４】
天板１８は、背側板１４と折り目１７を介して連続した外側板４２と、その折り目１７とは反対側の縁部に前縁板４３を介して一体に形成された内側板４４とをもって構成され、前縁板４３の両縁部を折り目として折り曲げることにより、内側板４４を外側板４２に重ね合わせ、内側板４４の前縁板４３とは反対側の縁部に配置された接着部４５を外側板４２の内側面に接着剤により固着させている。
【００２５】
内側板４４には、その基端側、即ち前縁板４３側の隅部より背縁側に斜めに向けた折り目４６，４６を形成して折り目４６より折り畳まれる逃がし片部４７，４７を備えている。
【００２６】
逃がし片部４７の側縁部、即ち内側板４４の両側縁には、左右両側板１５，１６の上端部に形成された係止凹部４８に係合する縁部係止突部４９が形成されている。
【００２７】
また、逃がし片部４７の前縁板４３と反対側の縁部には、背側板１４の上縁部に形成された係止凹部６２，６２に係合する係止突部６３，６３が一体に形成されている。
【００２８】
前縁板４３は、一定幅を有する細長板状に形成され、天板１８の前縁部を構成している。
【００２９】
天左側板間連結板１９及び天右側板間連結板２０は、背側板１４の隅を始点とした折り目５０をもって隔てられた天板側部５１と側板側部５２とから構成され、天板側部５１の縁部が天板１８の側縁と連続し、側板側部５２の縁部が左側板１５又は右側板１６の上縁と連続している。
【００３０】
また、天左側板間連結板１９の天板側部５１は、天板１８の外側板４２内側面に接着剤により貼着されている。
【００３１】
尚、天右側板間連結板２０は、天板側部５１及び側板側部５２の外縁部がすべり易いように円弧状に形成され、組立てる際に天板１８の外側板４２と内側板４４との間にスムースに折り込めるようになっている。
【００３２】
この天左側板間連結板１９及び天右側板間連結板２０は、箱状に組立てられた際、折り目５０より折り畳まれて外側板４２と内側板４４との間に挟み込まれるようになっている。
【００３３】
折り畳み底板２４，２５は、相手側折り畳み底板の内底部に差し込まれる差込部５３を一体に備え、折り目２１，２２とは反対側の縁部に切欠状の噛み合い部５４が形成されている。
【００３４】
この噛み合い部５４には、引っ掛け切欠５５が形成されている。
【００３５】
更に、この折り畳み底板２４，２５は、折り目側の隅部より折り目とは反対側の縁部に向けた斜めの折り畳み用折れ線２３を有し、この折り畳み用折れ線２３より折り曲げられる貼着連結部５６を一体に備えている。
【００３６】
重ね合わせ板２８，２９は、台形状に形成され、貼着連結部５６の内側に接着剤により貼り合わされている。尚、折れ線２３を跨いで配置された部分は、折り畳み底板２４，２５の内側に当接し、折り畳み底板２４，２５と重ね合わせ板２８，２９とからなる底板部が折れ線２３より外側に折曲がらないようにするストッパーとして機能するようになっている。
【００３７】
容器収容部３０は、箱底を底部とし、背側板１４、左右両側板１５，１６及び閉鎖板部３７に囲まれて形成されている。
【００３８】
この容器収容部３０には、その上端背側隅部に、互いに隣り合う背側板１４と左側板１５間、および背側板１４と右側板１６間に亘って互いに平行な一対の切れ目５７，５７を入れることにより、支持突起５８，５８が形成されている。
【００３９】
この支持突起５８は、図３に示すように、箱外側より内向きに押し込むことにより反転し、容器収容部３０の上端内側にく字状に突出するようになっている。
【００４０】
切花梱包用保水容器１２は、例えば、切花挿入孔６０を有する平板状の支持板５９と、支持板５９の前縁に折り目を介して一体に形成された支持脚板６４と、切花挿入孔６０と連通配置に支持板５９の裏面に固定された保水袋６１とをもって構成されている。
【００４１】
この切花梱包用保水容器１２は、図４に示すように、支持脚板６４を折り目より折り曲げて閉鎖板部３７の内側に差し込み支持板５９の前縁を支持脚板６４で支持させるとともに、支持板５９の背側縁を支持突片５８，５８に支持させることにより、容器収容部３０内に収容されるとともに支持されるようになっている。
【００４２】
このように構成された切花梱包用箱１０は、隣り合う側板を互いに直交配置にすることにより箱型に組立てられ、各側板に連動して底板部が自動的に平板状に広がり、図５に示すように、差込部５３が相手側底板部の内底部に差し込まれ、噛み合い部５４，５４が互いに噛み合わさるとともに、両引っ掛け切欠５５，５５が互いに噛み合わされ、両底板部が容易に分解しない状態で相互に支持しあって底板を形成する。
【００４３】
このとき、天板１８は、図１に示すように、背側板１４に対し左側板１５が立ち上がることによって、それに連動して半分ほど立ち上がる。
【００４４】
この状態で、切花１１の茎部を挿入した保水容器１２を容器収容部３０に収容させ、支持板５９の裏面を支持突起５８，５８に支持させる。
【００４５】
その際、天板１８が半開きの状態になっているので、切花１１を前面部より容易に収容することができる。
【００４６】
そして、切花１１が収容されたら、天板１８を背側板１４に対して立ち上げ、内外両側板間に連結板を折り込んだ状態で、逃がし片部４７を戻し、係止突部４９を係止凹部４８に係止させるとともに、係止突部６３を係止凹部６２に係止させることにより天板１８により箱上面が閉鎖される。
【００４７】
更に、扉板部３６を閉じ、係止片３９を係止孔３８に挿入係止させることにより、箱前面部も閉鎖される。
【００４８】
これにより切花の梱包が完了する。
【００４９】
尚、この切花梱包用箱１０より切花を取り出す際には、まず、係止片３９を係止孔３８より抜いて、扉板部３６を開く。
【００５０】
次に、天板１８内側板４４の係止突部４９を左右両側板１５，１６の係止凹部４８より解除し、係止突部６３を背側板１４の係止凹部６２より解除するとともに、逃がし片部４７を折り目４６より立ち上げ、その状態で天板１８を背側板１４に対して倒して、箱上部を半開きの状態にする。
【００５１】
この状態で切花を保水容器１２ごと或いは、保水容器１２より引き抜いて箱前面部より取り出す。その際、上面部が半開きの状態にあるので、切花が取り出しやすいようになっている。
【００５２】
そして、切花を取り出した後は、両底板部の各折り畳み底板の互いに噛み合った引っ掛け切欠５５，５５を取り外し、その状態で折り目３１，３５が両側縁となるように隣り合う側板を相互に重ね合わせ、即ち、前側板１３と右側板１６、背側板１４と左側板１５とを重ね、前側板１３と左側板１５、及び背側板１４と右側板１６とが平らになるように折り畳むことにより全体形状を平板状となす。
【００５３】
このとき、両底板部が側板に連動して折り畳み用折れ線２３より折曲がって、側板間に折り込まれて自動的に平板状になる。
【００５４】
尚、上述の実施例では、保水容器として平板状の支持板と支持板の裏面に固定された保水袋からなるものを使用する例について説明したが、保水容器はその他、鉢状のもの等であってもよい。
【図面の簡単な説明】
【００５５】
【図１】本発明に係る切花梱包用箱の一例を示す斜視図である。
【図２】図１中の切花梱包用箱の展開図である。
【図３】同上の支持突起を示す部分拡大斜視図である。
【図４】同上の容器収容部の状態を示す断面図である。
【図５】同上の切箱梱包箱の底面図である。
【符号の説明】
【００５６】
１０  切花梱包用箱
１１  切花
１２  切花梱包用保水容器
１３  前側板
１４  背側板
１５  左側板
１６  右側板
１７  折り目
１８  天板
１９  天左側板間連結板
２０  天右側板間連結板
２１，２２  折り目
２３  折り畳み用折れ線
２４，２５  折り畳み底板
２６，２７  折り目
２８，２９  重ね合わせ板
３０  容器収容部
３１，３２  折り目
３３  張出し片
３３ａ  のり付け部
３４，３５  折り目
３６  扉板部
３７  閉鎖板部
３８  係止孔
３９  係止片
４０  折り目
４１  取っ手
４２  外側板
４３  前縁板
４４  内側板
４５  接着部
４６  折り目
４７  逃がし片部
４８  係止凹部
４９  縁部係止突部
５０  折り目
５１  天板側部
５２  側板側部
５３  差込部
５４  噛み合い部
５５  引っ掛け切欠
５６  貼着連結部
５７  切れ目
５８  支持突起
５９  支持板
６０  切花挿入孔
６１  保水袋
６２  係止凹部
６３  係止突起
６４  支持脚板
【図１】
2007045456.tif 000003
【図２】
2007045456.tif 000004
【図３】
2007045456.tif 000005
【図４】
2007045456.tif 000006
【図５】
2007045456.tif 000007